(57)【要約】【課題】シェードの天面からの反射光によって配光パターンの上縁のカットラインの上側と下側との明暗差を緩和する。【解決手段】光源1と、光源1からの光を反射するリフレクタ2と、リフレクタ2からの光の一部を遮るシェード3と、シェード3によって遮られなかった光を投影する投影レンズ4とを具備し、リフレクタ2からの光の一部をシェード3の天面3a1によって反射し、シェード3の天面3a1からの反射光L1'を投影レンズ4によって投影するロービーム用プロジェクタ型車両用灯具において、シェード3の天面3a1からの反射光L1'が、配光パターンPの上縁のカットラインPaよりも上側であって、配光パターンPの上縁のカットラインPaに隣接する位置PL1'に照射されるように、シェード3の天面3a1を傾斜させた。【選択図】図２
2008311129.tif 000002
【特許請求の範囲】
【請求項１】
光源と、光源からの光を反射するためのリフレクタと、リフレクタからの光の一部を遮るためのシェードと、シェードによって遮られなかった光を投影するための投影レンズとを具備し、
リフレクタからの光の一部をシェードの天面によって反射し、シェードの天面からの反射光を投影レンズによって投影するロービーム用プロジェクタ型車両用灯具において、
シェードの天面からの反射光が、配光パターンの上縁のカットラインよりも上側であって、配光パターンの上縁のカットラインに隣接する位置に照射されるように、シェードの天面を傾斜させたことを特徴とするロービーム用プロジェクタ型車両用灯具。
【請求項２】
シェードの天面からの反射光が、配光パターンの対向車線側の上縁のカットラインよりも上側であって、配光パターンの対向車線側の上縁のカットラインに隣接する位置に照射されるように、シェードのうち、配光パターンの対向車線側の上縁のカットラインを形成する部分の天面を第１の角度で傾斜させ、
シェードのうち、配光パターンの自車線側の上縁のカットラインを形成する部分の天面にリフレクタからの光が入射しないように、その部分の天面を第１の角度よりも大きい第２の角度で傾斜させることを特徴とする請求項１に記載のロービーム用プロジェクタ型車両用灯具。
【請求項３】
投影レンズを隔てて光源の反対側から投影レンズに入射した仮想の水平な平行光が集光する投影レンズの焦点曲線を含む鉛直面上あるいはその近傍に、シェードのうち、配光パターンの自車線側の上縁のカットラインを形成する部分を配置し、
シェードのうち、配光パターンの対向車線側の上縁のカットラインを形成する部分を、配光パターンの自車線側の上縁のカットラインを形成する部分よりも投影レンズに近い位置に配置したことを特徴とする請求項１又は２に記載のロービーム用プロジェクタ型車両用灯具。
【請求項４】
シェードのうち、配光パターンの対向車線側の上縁のカットラインを形成する部分を約０．５ｍｍほど、配光パターンの自車線側の上縁のカットラインを形成する部分よりも投影レンズに近い位置に配置したことを特徴とする請求項３に記載のロービーム用プロジェクタ型車両用灯具。
【請求項５】
シェードのうち、配光パターンの対向車線側の上縁のカットラインを形成する部分の厚さを、配光パターンの自車線側の上縁のカットラインを形成する部分の厚さよりも厚くしたことを特徴とする請求項１〜４のいずれか一項に記載のロービーム用プロジェクタ型車両用灯具。
【発明の詳細な説明】
【技術分野】
【０００１】
本発明は、光源と、光源からの光を反射するためのリフレクタと、リフレクタからの光の一部を遮るためのシェードと、シェードによって遮られなかった光を投影するための投影レンズとを具備し、リフレクタからの光の一部をシェードの天面によって反射し、シェードの天面からの反射光を投影レンズによって投影するロービーム用プロジェクタ型車両用灯具に関する。
【０００２】
特に、本発明は、シェードの天面からの反射光によって配光パターンの上縁のカットラインの上側と下側との明暗差を緩和することにより、運転者の視認性を向上させることができるロービーム用プロジェクタ型車両用灯具に関する。
【背景技術】
【０００３】
従来から、光源と、光源からの光を反射するためのリフレクタと、リフレクタからの光の一部を遮るためのシェードと、シェードによって遮られなかった光を投影するための投影レンズとを具備し、リフレクタからの光の一部をシェードの天面によって反射し、シェードの天面からの反射光を投影レンズによって投影するプロジェクタ型車両用灯具が知られている。この種のプロジェクタ型車両用灯具の例としては、例えば特開２００６−１０７９５５号公報、特開２００６−２９４３８０号公報、実開平５−６６８０６号公報などに記載されたものがある。
【０００４】
特開２００６−１０７９５５号公報に記載されたプロジェクタ型車両用灯具では、光源からの光がリフレクタ（主リフレクタ）によって反射され、リフレクタ（主リフレクタ）からの光の一部が、シェード（副リフレクタ）によって遮られることなく、投影レンズ（凸レンズ）を介して照射される。また、リフレクタ（主リフレクタ）からの光の残りの一部が、シェード（副リフレクタ）の天面（第２反射面）によって反射され、投影レンズ（凸レンズ）を介して照射される。
【０００５】
ところで、特開２００６−１０７９５５号公報の図４および図７に記載されたプロジェクタ型車両用灯具では、シェード（副リフレクタ）の天面（第２反射面）からの反射光が配光パターンの上縁のカットラインよりも下側に照射される。つまり、特開２００６−１０７９５５号公報の図４および図７に記載されたプロジェクタ型車両用灯具では、シェード（副リフレクタ）の天面（第２反射面）からの反射光によって、配光パターンの上縁のカットラインよりも上側の暗い部分が明るくされるのではなく、配光パターンの上縁のカットラインよりも下側の明るい部分が更に明るくされる。
【０００６】
そのため、特開２００６−１０７９５５号公報の図４および図７に記載されたプロジェクタ型車両用灯具では、シェード（副リフレクタ）の天面（第２反射面）からの反射光によって、配光パターンの上縁のカットラインの上側と下側との明暗差を緩和することができない。
【０００７】
更に、特開２００６−２９４３８０号公報に記載されたプロジェクタ型車両用灯具では、光源からの光がリフレクタの反射面（楕円鏡反射面）によって反射され、リフレクタの反射面（楕円鏡反射面）からの光の一部が、シェードの天面によって反射され、投影レンズを介して照射される。
【０００８】
ところで、特開２００６−２９４３８０号公報の図２および図４に記載されたプロジェクタ型車両用灯具では、シェードの天面からの反射光が配光パターンの上縁のカットラインよりも下側に照射される。つまり、特開２００６−１０７９５５号公報の図２および図４に記載されたプロジェクタ型車両用灯具では、シェードの天面からの反射光によって、配光パターンの上縁のカットラインよりも上側の暗い部分が明るくされるのではなく、配光パターンの上縁のカットラインよりも下側の明るい部分が更に明るくされる。
【０００９】
そのため、特開２００６−２９４３８０号公報の図２および図４に記載されたプロジェクタ型車両用灯具では、シェードの天面からの反射光によって、配光パターンの上縁のカットラインの上側と下側との明暗差を緩和することができない。
【００１０】
また、特開２００６−２９４３８０号公報の図６および図１０に記載されたプロジェクタ型車両用灯具では、ロービーム照射時に、シェードの天面からの反射光が配光パターンの上縁のカットラインよりも下側に照射される。つまり、特開２００６−２９４３８０号公報の図６および図１０に記載されたプロジェクタ型車両用灯具では、ロービーム照射時に、シェードの天面からの反射光によって、配光パターンの上縁のカットラインよりも上側の暗い部分が明るくされるのではなく、配光パターンの上縁のカットラインよりも下側の明るい部分が更に明るくされる。
【００１１】
そのため、特開２００６−２９４３８０号公報の図６および図１０に記載されたプロジェクタ型車両用灯具では、ロービーム照射時に、シェードの天面からの反射光によって、配光パターンの上縁のカットラインの上側と下側との明暗差を緩和することができない。
【００１２】
更に、実開平５−６６８０６号公報に記載されたプロジェクタ型車両用灯具では、光源からの光がリフレクタ（楕円面反射鏡）によって反射され、リフレクタ（楕円面反射鏡）からの光の一部が、シェード（遮光板）によって遮られることなく、投影レンズを介して照射される。また、リフレクタ（楕円面反射鏡）からの光の残りの一部が、シェード（遮光板）の天面（上端面）によって反射され、投影レンズを介して照射される。
【００１３】
実開平５−６６８０６号公報に記載されたプロジェクタ型車両用灯具では、特開２００６−１０７９５５号公報に記載されたプロジェクタ型車両用灯具、あるいは、特開２００６−２９４３８０号公報に記載されたプロジェクタ型車両用灯具とは異なり、シェード（遮光板）の天面（上端面）からの反射光によって、配光パターンの上縁のカットラインよりも上側の暗い部分が明るくされる。
【００１４】
ところが、実開平５−６６８０６号公報に記載されたプロジェクタ型車両用灯具では、シェード（遮光板）の天面（上端面）からの反射光が配光パターンの上縁のカットラインよりも上側に照射されるものの、シェード（遮光板）の天面（上端面）が水平面によって構成されているため、シェード（遮光板）の天面（上端面）からの反射光が、配光パターンの上縁のカットラインに隣接する位置に照射されるのではなく、配光パターンの上縁のカットラインからかなり離れた位置に照射されてしまう。
【００１５】
その結果、実開平５−６６８０６号公報に記載されたプロジェクタ型車両用灯具によっても、シェード（遮光板）の天面（上端面）からの反射光により、配光パターンの上縁のカットラインの上側と下側との明暗差を緩和することができない。
【００１６】
【特許文献１】特開２００６−１０７９５５号公報
【特許文献２】特開２００６−２９４３８０号公報
【特許文献３】実開平５−６６８０６号公報
【発明の開示】
【発明が解決しようとする課題】
【００１７】
前記問題点に鑑み、本発明は、シェードの天面からの反射光によって配光パターンの上縁のカットラインの上側と下側との明暗差を緩和することにより、運転者の視認性を向上させることができるロービーム用プロジェクタ型車両用灯具を提供することを目的とする。
【課題を解決するための手段】
【００１８】
請求項１に記載の発明によれば、光源と、光源からの光を反射するためのリフレクタと、リフレクタからの光の一部を遮るためのシェードと、シェードによって遮られなかった光を投影するための投影レンズとを具備し、リフレクタからの光の一部をシェードの天面によって反射し、シェードの天面からの反射光を投影レンズによって投影するロービーム用プロジェクタ型車両用灯具において、シェードの天面からの反射光が、配光パターンの上縁のカットラインよりも上側であって、配光パターンの上縁のカットラインに隣接する位置に照射されるように、シェードの天面を傾斜させたことを特徴とするロービーム用プロジェクタ型車両用灯具が提供される。
【００１９】
請求項２に記載の発明によれば、シェードの天面からの反射光が、配光パターンの対向車線側の上縁のカットラインよりも上側であって、配光パターンの対向車線側の上縁のカットラインに隣接する位置に照射されるように、シェードのうち、配光パターンの対向車線側の上縁のカットラインを形成する部分の天面を第１の角度で傾斜させ、シェードのうち、配光パターンの自車線側の上縁のカットラインを形成する部分の天面にリフレクタからの光が入射しないように、その部分の天面を第１の角度よりも大きい第２の角度で傾斜させることを特徴とする請求項１に記載のロービーム用プロジェクタ型車両用灯具が提供される。
【００２０】
請求項３に記載の発明によれば、投影レンズを隔てて光源の反対側から投影レンズに入射した仮想の水平な平行光が集光する投影レンズの焦点曲線を含む鉛直面上あるいはその近傍に、シェードのうち、配光パターンの自車線側の上縁のカットラインを形成する部分を配置し、シェードのうち、配光パターンの対向車線側の上縁のカットラインを形成する部分を、配光パターンの自車線側の上縁のカットラインを形成する部分よりも投影レンズに近い位置に配置したことを特徴とする請求項１又は２に記載のロービーム用プロジェクタ型車両用灯具が提供される。
【００２１】
請求項４に記載の発明によれば、シェードのうち、配光パターンの対向車線側の上縁のカットラインを形成する部分を約０．５ｍｍほど、配光パターンの自車線側の上縁のカットラインを形成する部分よりも投影レンズに近い位置に配置したことを特徴とする請求項３に記載のロービーム用プロジェクタ型車両用灯具が提供される。
【００２２】
請求項５に記載の発明によれば、シェードのうち、配光パターンの対向車線側の上縁のカットラインを形成する部分の厚さを、配光パターンの自車線側の上縁のカットラインを形成する部分の厚さよりも厚くしたことを特徴とする請求項１〜４のいずれか一項に記載のロービーム用プロジェクタ型車両用灯具が提供される。
【発明の効果】
【００２３】
請求項１に記載のロービーム用プロジェクタ型車両用灯具では、シェードの天面からの反射光が、配光パターンの上縁のカットラインよりも上側であって、配光パターンの上縁のカットラインに隣接する位置に照射されるように、シェードの天面が傾斜せしめられている。
【００２４】
つまり、請求項１に記載のロービーム用プロジェクタ型車両用灯具では、シェードの天面が水平面によって構成されている場合よりも、配光パターンの上縁のカットラインの近くにシェードの天面からの反射光が照射される。
【００２５】
そのため、請求項１に記載のロービーム用プロジェクタ型車両用灯具によれば、シェードの天面からの反射光によって配光パターンの上縁のカットラインの上側と下側との明暗差を緩和することができ、それにより、運転者の視認性を向上させることができる。
【００２６】
請求項２に記載のロービーム用プロジェクタ型車両用灯具では、シェードの天面からの反射光が、配光パターンの対向車線側の上縁のカットラインよりも上側であって、配光パターンの対向車線側の上縁のカットラインに隣接する位置に照射されるように、シェードのうち、配光パターンの対向車線側の上縁のカットラインを形成する部分の天面が、第１の角度で傾斜せしめられている。そのため、請求項２に記載のロービーム用プロジェクタ型車両用灯具によれば、シェードの天面からの反射光によって配光パターンの対向車線側の上縁のカットラインの上側と下側との明暗差を緩和することができる。
【００２７】
更に、請求項２に記載のロービーム用プロジェクタ型車両用灯具では、シェードのうち、配光パターンの自車線側（つまり、対向車線側の反対側であって、自車線の路肩側）の上縁のカットラインを形成する部分の天面にリフレクタからの光が入射しないように、その部分の天面が、第１の角度よりも大きい第２の角度で傾斜せしめられている。つまり、請求項２に記載のロービーム用プロジェクタ型車両用灯具では、配光パターンの自車線側の上縁のカットラインの上側と下側との明暗差が緩和されない。そのため、請求項２に記載のロービーム用プロジェクタ型車両用灯具によれば、配光パターンの自車線側の上縁のカットラインを用いてエイミング調整を行うことができる。換言すれば、請求項２に記載のロービーム用プロジェクタ型車両用灯具では、配光パターンの自車線側の上縁のカットラインの下側が暗くされない。そのため、請求項２に記載のロービーム用プロジェクタ型車両用灯具によれば、良好な遠方視認性を確保することができる。
【００２８】
つまり、請求項２に記載のロービーム用プロジェクタ型車両用灯具によれば、シェードの天面からの反射光によって配光パターンの対向車線側の上縁のカットラインの上側と下側との明暗差を緩和しつつ、配光パターンの自車線側の上縁のカットラインを用いてエイミング調整を行うことができる。
【００２９】
請求項３及び４に記載のロービーム用プロジェクタ型車両用灯具では、投影レンズを隔てて光源の反対側から投影レンズに入射した仮想の水平な平行光が集光する投影レンズの焦点曲線を含む鉛直面上あるいはその近傍に、シェードのうち、配光パターンの自車線側の上縁のカットラインを形成する部分が配置されている。そのため、請求項３及び４に記載のロービーム用プロジェクタ型車両用灯具によれば、配光パターンの自車線側の上縁のカットラインを鮮明にすることができる。
【００３０】
更に、請求項３及び４に記載のロービーム用プロジェクタ型車両用灯具では、シェードのうち、配光パターンの対向車線側の上縁のカットラインを形成する部分が、配光パターンの自車線側の上縁のカットラインを形成する部分よりも投影レンズに近い位置に配置されている。好ましくは、シェードのうち、配光パターンの対向車線側の上縁のカットラインを形成する部分が約０．５ｍｍほど、配光パターンの自車線側の上縁のカットラインを形成する部分よりも投影レンズに近い位置に配置されている。そのため、請求項３及び４に記載のロービーム用プロジェクタ型車両用灯具によれば、配光パターンの対向車線側の上縁のカットラインをぼかすことができる。
【００３１】
詳細には、請求項３及び４に記載のロービーム用プロジェクタ型車両用灯具では、仮にシェードのうち配光パターンの対向車線側の上縁のカットラインを形成する部分が投影レンズの焦点曲線を含む鉛直面上に配置される場合にはシェードによって遮られてしまう光が、シェードに遮られることなく、配光パターンの対向車線側の上縁のカットラインよりも上側に照射される。そのため、請求項３及び４に記載のロービーム用プロジェクタ型車両用灯具によれば、シェードのうち配光パターンの対向車線側の上縁のカットラインを形成する部分が投影レンズの焦点曲線を含む鉛直面上に配置される場合よりも、配光パターンの対向車線側の上縁のカットラインより上側を明るくすることができる。
【００３２】
また、請求項３及び４に記載のロービーム用プロジェクタ型車両用灯具では、仮にシェードのうち配光パターンの対向車線側の上縁のカットラインを形成する部分が投影レンズの焦点曲線を含む鉛直面上に配置される場合には配光パターンの対向車線側の上縁のカットラインよりも下側に照射される光が、シェードの天面によって反射され、配光パターンの対向車線側の上縁のカットラインよりも上側に照射される。そのため、請求項３及び４に記載のロービーム用プロジェクタ型車両用灯具によれば、シェードのうち配光パターンの対向車線側の上縁のカットラインを形成する部分が投影レンズの焦点曲線を含む鉛直面上に配置される場合よりも、配光パターンの対向車線側の上縁のカットラインより下側を暗くすることができ、配光パターンの対向車線側の上縁のカットラインより上側を明るくすることができる。
【００３３】
請求項５に記載のロービーム用プロジェクタ型車両用灯具では、シェードのうち、配光パターンの対向車線側の上縁のカットラインを形成する部分の厚さが、配光パターンの自車線側の上縁のカットラインを形成する部分の厚さよりも厚くされている。
【００３４】
つまり、請求項５に記載のロービーム用プロジェクタ型車両用灯具では、仮にシェードのうち配光パターンの対向車線側の上縁のカットラインを形成する部分の厚さが薄い場合には配光パターンの対向車線側の上縁のカットラインよりも下側に照射される光が、シェードの天面によって反射され、配光パターンの対向車線側の上縁のカットラインよりも上側に照射される。
【００３５】
そのため、請求項５に記載のロービーム用プロジェクタ型車両用灯具によれば、シェードのうち配光パターンの対向車線側の上縁のカットラインを形成する部分の厚さが薄い場合よりも、配光パターンの対向車線側の上縁のカットラインより下側を暗くすることができ、配光パターンの対向車線側の上縁のカットラインより上側を明るくすることができる。
【発明を実施するための最良の形態】
【００３６】
以下、本発明のロービーム用プロジェクタ型車両用灯具の第１の実施形態について説明する。図１は第１の実施形態のロービーム用プロジェクタ型車両用灯具１０３が適用されたヘッドランプ１００の正面図である。図１において、１０１はヘッドランプ１００のハウジング、１０２はヘッドランプ１００のカバーレンズである。１０４はロービーム用プロジェクタ型車両用灯具１０３のエイミング調整時にハウジング１０１に対するロービーム用プロジェクタ型車両用灯具１０３の回転中心となる支点である。１０５はロービーム用プロジェクタ型車両用灯具１０３のエイミング調整時にロービーム用プロジェクタ型車両用灯具１０３の主光軸線Ｚの水平方向の向きを調整するためのエイミングスクリューを示している。１０６はロービーム用プロジェクタ型車両用灯具１０３のエイミング調整時にロービーム用プロジェクタ型車両用灯具１０３の主光軸線Ｚの鉛直方向の向きを調整するためのエイミングスクリューを示している。
【００３７】
図２は図１のＡ−Ａ線に沿った断面図、図３は図１のＢ−Ｂ線に沿った断面図、図４および図５はロービーム用プロジェクタ型車両用灯具１０３の基本的な光路図である。詳細には、図４はロービーム用プロジェクタ型車両用灯具１０３の主光軸線Ｚを含む水平面内におけるロービーム用プロジェクタ型車両用灯具１０３の基本的な光路を示した図である。図５はロービーム用プロジェクタ型車両用灯具１０３の主光軸線Ｚを含む鉛直面内におけるロービーム用プロジェクタ型車両用灯具１０３の基本的な光路を示した図である。
【００３８】
図２〜図５において、１は光源を示している。第１の実施形態のロービーム用プロジェクタ型車両用灯具１０３では、光源１として例えば高輝度放電灯（ＨＩＤランプ）が用いられているが、第２の実施形態のロービーム用プロジェクタ型車両用灯具では、代わりに、光源１として、例えばハロゲンランプ、ＬＥＤ等のような任意の光源を用いることも可能である。
【００３９】
また、図２〜図５において、２は光源１からの光を反射するためのリフレクタを示しており、３はリフレクタ２からの光の一部を遮るためのシェードを示しており、４はシェード３によって遮られなかった光を投影するための投影レンズを示しており、Ｆは投影レンズ４の焦点を示している。ＦＬは、ロービーム用プロジェクタ型車両用灯具１０３の主光軸線Ｚに対して０°〜約４０°の角度をなす仮想の水平な平行光が図２の左側から投影レンズ４に入射せしめられた場合にその仮想の水平な平行光が集光する複数の点からなる投影レンズ４の焦点曲線を示している。投影レンズ４の焦点曲線ＦＬについては、例えば特許第２６９６７４５号公報に詳細に記載されている。ＦＳは焦点曲線ＦＬを含む鉛直面を示している。
【００４０】
図６はロービーム用プロジェクタ型車両用灯具１０３によって形成される基本的な配光パターンＰを示した図である。図６において、ＨＬは水平線を示しており、ＶＬは鉛直線を示しており、Ｐａは配光パターンＰの対向車線側の上縁のカットラインを示しており、Ｐｂは配光パターンＰの自車線側（つまり、対向車線側の反対側であって、自車線の路肩側）の上縁のカットラインを示している。
【００４１】
図７は図２に示したシェード３の上縁付近を図２の右側から見た拡大図である。図２〜図５および図７において、３ａは配光パターンＰの対向車線側の上縁のカットラインＰａを形成するためのエッジ部分を示しており、３ａ１はエッジ部分３ａの天面を示している。３ｂは配光パターンＰの自車線側の上縁のカットラインＰｂを形成するためのエッジ部分を示しており、３ｂ１はエッジ部分３ｂの天面を示している。
【００４２】
第１の実施形態のロービーム用プロジェクタ型車両用灯具１０３では、図４および図５に示すように、リフレクタ２からの反射光が投影レンズ４の焦点Ｆの近傍に集光せしめられ、シェード３によって遮られなかった光が投影レンズ４を介して図４および図５の左側に照射され、図６に示すような配光パターンＰが形成される。
【００４３】
詳細には、第１の実施形態のロービーム用プロジェクタ型車両用灯具１０３では、図６および図７に示すように、シェード３のエッジ部分３ａによって、配光パターンＰの対向車線側の上縁のカットラインＰａが形成され、シェード３のエッジ部分３ｂによって、配光パターンＰの自車線側の上縁のカットラインＰｂが形成される。更に、図７に示すシェード３のエッジ部分３ａの上側を通過した光によって、図６に示す配光パターンＰのうち、対向車線側の上縁のカットラインＰａよりも下側の領域が形成される。また、図７に示すシェード３のエッジ部分３ｂの上側を通過した光によって、図６に示す配光パターンＰのうち、自車線側の上縁のカットラインＰｂよりも下側の領域が形成される。
【００４４】
図８は図２に示したシェード３のエッジ部分３ａの天面３ａ１およびエッジ部分３ｂの天面３ｂ１の拡大断面図である。詳細には、図８（Ａ）は図２のＣ−Ｃ線に沿った断面図、図８（Ｂ）は図２のＤ−Ｄ線に沿った断面図である。図９は図２に示した投影レンズ４とその焦点曲線ＦＬとシェード３のエッジ部分３ａ，３ｂとの関係を概略的に示した図である。
【００４５】
第１の実施形態のロービーム用プロジェクタ型車両用灯具１０３では、図８（Ａ）に示すように、シェード３のエッジ部分３ａの天面３ａ１が、例えば約２°のような角度θ１（＞０°）だけ水平面に対して傾斜せしめられている。また、図８（Ｂ）に示すように、シェード３のエッジ部分３ｂの天面３ｂ１が、例えば約８°のような角度θ２（＞θ１）だけ水平面に対して傾斜せしめられている。
【００４６】
更に、第１の実施形態のロービーム用プロジェクタ型車両用灯具１０３では、図８（Ｂ）および図９に示すように、シェード３のエッジ部分３ｂが、投影レンズ４の焦点曲線ＦＬを含む鉛直面ＦＳ上あるいはその近傍に配置されている。また、図８（Ａ）および図９に示すように、シェード３のエッジ部分３ａが、投影レンズ４の焦点曲線ＦＬを含む鉛直面ＦＳよりも約０．５ｍｍほど投影レンズ４の側（図８（Ａ）および図９の左側）に配置されている。
【００４７】
また、第１の実施形態のロービーム用プロジェクタ型車両用灯具１０３では、図８（Ａ）および図８（Ｂ）に示すように、シェード３のうち、エッジ部分３ａの厚さＷ１が、エッジ部分３ｂの厚さＷ２よりも厚くされている。
【００４８】
図１０および図１１はシェード３のエッジ部分３ａの天面３ａ１が角度θ１だけ水平面に対して傾斜せしめられている効果を説明するための図である。詳細には、図１０（Ａ）は仮にシェード３のエッジ部分３ａの天面３ａ１が水平面に対して傾斜せしめられていない場合における天面３ａ１からの反射光Ｌ１”を示した図である。図１０（Ｂ）はシェード３のエッジ部分３ａの天面３ａ１が角度θ１だけ水平面に対して傾斜せしめられている第１の実施形態のロービーム用プロジェクタ型車両用灯具１０３の天面３ａ１からの反射光Ｌ１’を示した図である。図１１は図１０（Ａ）に示した反射光Ｌ１”が照射される位置ＰＬ１”、図１０（Ｂ）に示した反射光Ｌ１’が照射される位置ＰＬ１’などを示した図である。
【００４９】
仮にリフレクタ２からの反射光Ｌ１が、図１０（Ｂ）に破線で示すように、シェード３のエッジ部分３ａの天面３ａ１によって反射されることなく、シェード３のエッジ部分３ａの天面３ａ１を透過する場合には、その透過光Ｌ１−０が、図１１に示すように、配光パターンＰの対向車線側の上縁のカットラインＰａよりも下側の位置ＰＬ１−０に照射される。
【００５０】
それに対し、第１の実施形態のロービーム用プロジェクタ型車両用灯具１０３では、図１０（Ｂ）に示すように、リフレクタ２からの反射光Ｌ１が、シェード３のエッジ部分３ａの天面３ａ１によって反射される。つまり、第１の実施形態のロービーム用プロジェクタ型車両用灯具１０３では、配光パターンＰの対向車線側の上縁のカットラインＰａよりも下側の位置ＰＬ１−０（図１１参照）に透過光Ｌ１−０（図１０（Ｂ）参照）が照射されない。そのため、第１の実施形態のロービーム用プロジェクタ型車両用灯具１０３によれば、配光パターンＰの対向車線側の上縁のカットラインＰａよりも下側の位置ＰＬ１−０（図１１参照）に透過光Ｌ１−０（図１０（Ｂ）参照）が照射される場合よりも、配光パターンＰの対向車線側の上縁のカットラインＰａよりも下側の位置ＰＬ１−０（図１１参照）を暗くすることができる。
【００５１】
また、仮に、図１０（Ａ）に示すように、シェード３のエッジ部分３ａの天面３ａ１が水平面によって構成されている場合には、その天面３ａ１からの反射光Ｌ１”が、図１１に示すように、配光パターンＰの対向車線側の上縁のカットラインＰａよりも上側であって、配光パターンＰの対向車線側の上縁のカットラインＰａから離れた位置ＰＬ１”に照射される。そのため、配光パターンＰの対向車線側の上縁のカットラインＰａよりも上側であって、配光パターンＰの対向車線側の上縁のカットラインＰａに隣接する位置ＰＬ１’を明るくすることができない。
【００５２】
それに対し、第１の実施形態のロービーム用プロジェクタ型車両用灯具１０３では、図１０（Ｂ）に示すように、シェード３のエッジ部分３ａの天面３ａ１が角度θ１（図８（Ａ）参照）だけ水平面に対して傾斜せしめられている。そのため、その天面３ａ１からの反射光Ｌ１’が、図１１に示すように、配光パターンＰの対向車線側の上縁のカットラインＰａよりも上側であって、配光パターンＰの対向車線側の上縁のカットラインＰａに隣接する位置ＰＬ１’に照射される。それゆえ、第１の実施形態のロービーム用プロジェクタ型車両用灯具１０３によれば、反射光Ｌ１’が配光パターンＰの対向車線側の上縁のカットラインＰａよりも上側であって配光パターンＰの対向車線側の上縁のカットラインＰａに隣接する位置ＰＬ１’に照射されない場合よりも、配光パターンＰの対向車線側の上縁のカットラインＰａよりも上側であって配光パターンＰの対向車線側の上縁のカットラインＰａに隣接する位置ＰＬ１’を明るくすることができる。
【００５３】
つまり、第１の実施形態のロービーム用プロジェクタ型車両用灯具１０３によれば、図１１に示すように、配光パターンＰの対向車線側の上縁のカットラインＰａよりも下側であって配光パターンＰの対向車線側の上縁のカットラインＰａに隣接する位置ＰＬ１−０を暗くすると共に、配光パターンＰの対向車線側の上縁のカットラインＰａよりも上側であって配光パターンＰの対向車線側の上縁のカットラインＰａに隣接する位置ＰＬ１’を明るくすることにより、配光パターンＰの対向車線側の上縁のカットラインＰａの上側と下側との明暗差を緩和することができる。それにより、車両の運転者の視認性を向上させることができる。
【００５４】
図１２および図１３はシェード３のエッジ部分３ｂの天面３ｂ１が角度θ１より大きい角度θ２だけ水平面に対して傾斜せしめられている効果を説明するための図である。詳細には、図１２はシェード３のエッジ部分３ｂの天面３ｂ１に入射することなく、シェード３のエッジ部分３ｂの上側を通過するリフレクタ２からの反射光Ｌ２を示した図である。図１３は図１２に示した反射光Ｌ２が照射される位置ＰＬ２を示した図である。
【００５５】
第１の実施形態のロービーム用プロジェクタ型車両用灯具１０３では、図８および図１２に示すように、リフレクタ２からの反射光Ｌ２がシェード３のエッジ部分３ｂの天面３ｂ１に入射しないように、シェード３のエッジ部分３ｂの天面３ｂ１が、角度θ１よりも大きい角度θ２だけ水平面に対して傾斜せしめられている。そのため、シェード３のエッジ部分３ｂの天面３ｂ１に入射することなく、シェード３のエッジ部分３ｂの上側を通過したリフレクタ２からの反射光Ｌ２が、図１３に示すように、配光パターンＰの自車線側の上縁のカットラインＰｂよりも下側であって、配光パターンＰの自車線側の上縁のカットラインＰｂに隣接する位置ＰＬ２に照射される。その結果、第１の実施形態のロービーム用プロジェクタ型車両用灯具１０３によれば、配光パターンＰの自車線側の上縁のカットラインＰｂよりも下側であって配光パターンＰの自車線側の上縁のカットラインＰｂに隣接する位置ＰＬ２を明るくすることができる。
【００５６】
更に、第１の実施形態のロービーム用プロジェクタ型車両用灯具１０３では、図８（Ｂ）および図９に示すように、シェード３のエッジ部分３ｂが、投影レンズ４の焦点曲線ＦＬを含む鉛直面ＦＳ上あるいはその近傍に配置されている。そのため、第１の実施形態のロービーム用プロジェクタ型車両用灯具１０３によれば、シェード３のエッジ部分３ｂによって形成される配光パターンＰの自車線側の上縁のカットラインＰｂ（図６参照）を鮮明にすることができる。つまり、第１の実施形態のロービーム用プロジェクタ型車両用灯具１０３によれば、鮮明な配光パターンＰの自車線側の上縁のカットラインＰｂを用いてエイミング調整を行うことができる。
【００５７】
一方、第１の実施形態のロービーム用プロジェクタ型車両用灯具１０３では、図８（Ａ）および図９に示すように、シェード３のエッジ部分３ａが、例えば約０．５ｍｍほど投影レンズ４の焦点曲線ＦＬよりも投影レンズ４の側（図８（Ａ）および図９の右側）に配置されている。そのため、第１の実施形態のロービーム用プロジェクタ型車両用灯具１０３によれば、シェード３のエッジ部分３ａが投影レンズ４の焦点曲線ＦＬを含む鉛直面ＦＳ上あるいはその近傍に配置されている場合よりも、シェード３のエッジ部分３ａによって形成される配光パターンＰの対向車線側の上縁のカットラインＰａ（図６参照）をぼかすことができる。
【００５８】
図１４および図１５はシェード３のエッジ部分３ａが投影レンズ４の焦点曲線ＦＬを含む鉛直面ＦＳよりも約０．５ｍｍほど投影レンズ４の側に配置されている他の効果を説明するための図である。詳細には、図１４（Ａ）は仮にシェード３のエッジ部分３ａが投影レンズ４の焦点曲線ＦＬを含む鉛直面ＦＳ上に配置されている場合におけるリフレクタ２からの反射光Ｌ３を示した図である。図１４（Ｂ）はシェード３のエッジ部分３ａが投影レンズ４の焦点曲線ＦＬを含む鉛直面ＦＳよりも約０．５ｍｍほど投影レンズ４の側に配置されている第１の実施形態のロービーム用プロジェクタ型車両用灯具１０３のリフレクタ２からの反射光Ｌ３を示した図である。図１５は図１４（Ｂ）に示した反射光Ｌ３が照射される位置ＰＬ３を示した図である。
【００５９】
仮に、図１４（Ａ）に示すように、シェード３のエッジ部分３ａが投影レンズ４の焦点曲線ＦＬを含む鉛直面ＦＳ上に配置されている場合には、リフレクタ２からの反射光Ｌ３が、シェード３によって遮られてしまう。
【００６０】
それに対し、第１の実施形態のロービーム用プロジェクタ型車両用灯具１０３では、図１４（Ｂ）に示すように、シェード３のエッジ部分３ａが投影レンズ４の焦点曲線ＦＬを含む鉛直面ＦＳよりも約０．５ｍｍほど投影レンズ４の側（図１４（Ｂ）の左側）に配置されている。そのため、シェード３のエッジ部分３ａの上側を通過したリフレクタ２からの反射光Ｌ３が、図１５に示すように、配光パターンＰの対向車線側の上縁のカットラインＰａよりも上側であって配光パターンＰの対向車線側の上縁のカットラインＰａに隣接する位置ＰＬ３に照射される。
【００６１】
その結果、第１の実施形態のロービーム用プロジェクタ型車両用灯具１０３によれば、シェード３のエッジ部分３ａが投影レンズ４の焦点曲線ＦＬを含む鉛直面ＦＳ上に配置されている場合よりも、配光パターンＰの対向車線側の上縁のカットラインＰａよりも上側であって配光パターンＰの対向車線側の上縁のカットラインＰａに隣接する位置ＰＬ３を明るくすることができる。
【００６２】
図１６および図１７はシェード３のエッジ部分３ａが投影レンズ４の焦点曲線ＦＬを含む鉛直面ＦＳよりも約０．５ｍｍほど投影レンズ４の側に配置されている更に他の効果を説明するための図である。詳細には、図１６（Ａ）は仮にシェード３のエッジ部分３ａが投影レンズ４の焦点曲線ＦＬを含む鉛直面ＦＳ上に配置されている場合におけるリフレクタ２からの反射光Ｌ４を示した図である。図１６（Ｂ）はシェード３のエッジ部分３ａが投影レンズ４の焦点曲線ＦＬを含む鉛直面ＦＳよりも約０．５ｍｍほど投影レンズ４の側に配置されている第１の実施形態のロービーム用プロジェクタ型車両用灯具１０３のリフレクタ２からの反射光Ｌ４およびシェード３のエッジ部分３ａの天面３ａ１からの反射光Ｌ４’を示した図である。図１７は図１６（Ｂ）に示した反射光Ｌ４’が照射される位置ＰＬ４’などを示した図である。
【００６３】
仮に、図１６（Ａ）に示すように、シェード３のエッジ部分３ａが投影レンズ４の焦点曲線ＦＬを含む鉛直面ＦＳ上に配置されている場合には、リフレクタ２からの反射光Ｌ４が、シェード３のエッジ部分３ａの天面３ａ１によって反射されることなく、シェード３のエッジ部分３ａの天面３ａ１の上側を通過し、図１７に示すように、配光パターンＰの対向車線側の上縁のカットラインＰａよりも下側の位置ＰＬ４に照射される。
【００６４】
それに対し、第１の実施形態のロービーム用プロジェクタ型車両用灯具１０３では、図１６（Ｂ）に示すように、シェード３のエッジ部分３ａが投影レンズ４の焦点曲線ＦＬを含む鉛直面ＦＳよりも約０．５ｍｍほど投影レンズ４の側（図１６（Ｂ）の左側）に配置されている。そのため、リフレクタ２からの反射光Ｌ４がシェード３のエッジ部分３ａの天面３ａ１によって反射され、その反射光Ｌ４’が、図１７に示すように、配光パターンＰの対向車線側の上縁のカットラインＰａよりも上側であって配光パターンＰの対向車線側の上縁のカットラインＰａに隣接する位置ＰＬ４’に照射される。
【００６５】
その結果、第１の実施形態のロービーム用プロジェクタ型車両用灯具１０３によれば、シェード３のエッジ部分３ａが投影レンズ４の焦点曲線ＦＬを含む鉛直面ＦＳ上に配置されている場合よりも、配光パターンＰの対向車線側の上縁のカットラインＰａより下側の位置ＰＬ４を暗くすることができ、配光パターンＰの対向車線側の上縁のカットラインＰａより上側であって配光パターンＰの対向車線側の上縁のカットラインＰａに隣接する位置ＰＬ４’を明るくすることができる。
【００６６】
図１８および図１９はシェード３のエッジ部分３ａの厚さＷ１が厚くされている効果を説明するための図である。詳細には、図１８（Ａ）は仮にシェード３のエッジ部分３ａの厚さＷ１’が薄くされている場合におけるリフレクタ２からの反射光Ｌ５を示した図である。図１８（Ｂ）はシェード３のエッジ部分３ａの厚さＷ１が厚くされている第１の実施形態のロービーム用プロジェクタ型車両用灯具１０３のリフレクタ２からの反射光Ｌ５およびシェード３のエッジ部分３ａの天面３ａ１からの反射光Ｌ５’を示した図である。図１９は図１８（Ｂ）に示した反射光Ｌ５’が照射される位置ＰＬ５’などを示した図である。
【００６７】
仮に、図１８（Ａ）に示すように、シェード３のエッジ部分３ａの厚さＷ１’が薄くされている場合には、リフレクタ２からの反射光Ｌ５が、シェード３のエッジ部分３ａの天面３ａ１によって反射されることなく、シェード３のエッジ部分３ａの天面３ａ１の上側を通過し、図１９に示すように、配光パターンＰの対向車線側の上縁のカットラインＰａよりも下側の位置ＰＬ５に照射される。
【００６８】
それに対し、第１の実施形態のロービーム用プロジェクタ型車両用灯具１０３では、図１８（Ｂ）に示すように、シェード３のエッジ部分３ａの厚さＷ１（＞Ｗ１’，Ｗ２）が厚くされている。そのため、リフレクタ２からの反射光Ｌ５がシェード３のエッジ部分３ａの天面３ａ１によって反射され、その反射光Ｌ５’が、図１９に示すように、配光パターンＰの対向車線側の上縁のカットラインＰａよりも上側であって配光パターンＰの対向車線側の上縁のカットラインＰａに隣接する位置ＰＬ５’に照射される。
【００６９】
その結果、第１の実施形態のロービーム用プロジェクタ型車両用灯具１０３によれば、シェード３のエッジ部分３ａの厚さＷ１が薄くされている場合よりも、配光パターンＰの対向車線側の上縁のカットラインＰａより下側の位置ＰＬ５を暗くすることができ、配光パターンＰの対向車線側の上縁のカットラインＰａより上側であって配光パターンＰの対向車線側の上縁のカットラインＰａに隣接する位置ＰＬ５’を明るくすることができる。
【図面の簡単な説明】
【００７０】
【図１】第１の実施形態のロービーム用プロジェクタ型車両用灯具１０３が適用されたヘッドランプ１００の正面図である。
【図２】図１のＡ−Ａ線に沿った断面図である。
【図３】図１のＢ−Ｂ線に沿った断面図である。
【図４】ロービーム用プロジェクタ型車両用灯具１０３の基本的な光路図である。
【図５】ロービーム用プロジェクタ型車両用灯具１０３の基本的な光路図である。
【図６】ロービーム用プロジェクタ型車両用灯具１０３によって形成される基本的な配光パターンＰを示した図である。
【図７】図２に示したシェード３の上縁付近を図２の右側から見た拡大図である。
【図８】図２に示したシェード３のエッジ部分３ａの天面３ａ１およびエッジ部分３ｂの天面３ｂ１の拡大断面図である。
【図９】図２に示した投影レンズ４とその焦点曲線ＦＬとシェード３のエッジ部分３ａ，３ｂとの関係を概略的に示した図である。
【図１０】シェード３のエッジ部分３ａの天面３ａ１が角度θ１だけ水平面に対して傾斜せしめられている効果を説明するための図である。
【図１１】シェード３のエッジ部分３ａの天面３ａ１が角度θ１だけ水平面に対して傾斜せしめられている効果を説明するための図である。
【図１２】シェード３のエッジ部分３ｂの天面３ｂ１が角度θ１より大きい角度θ２だけ水平面に対して傾斜せしめられている効果を説明するための図である。
【図１３】シェード３のエッジ部分３ｂの天面３ｂ１が角度θ１より大きい角度θ２だけ水平面に対して傾斜せしめられている効果を説明するための図である。
【図１４】シェード３のエッジ部分３ａが投影レンズ４の焦点曲線ＦＬを含む鉛直面ＦＳよりも約０．５ｍｍほど投影レンズ４の側に配置されている他の効果を説明するための図である。
【図１５】シェード３のエッジ部分３ａが投影レンズ４の焦点曲線ＦＬを含む鉛直面ＦＳよりも約０．５ｍｍほど投影レンズ４の側に配置されている他の効果を説明するための図である。
【図１６】シェード３のエッジ部分３ａが投影レンズ４の焦点曲線ＦＬを含む鉛直面ＦＳよりも約０．５ｍｍほど投影レンズ４の側に配置されている更に他の効果を説明するための図である。
【図１７】シェード３のエッジ部分３ａが投影レンズ４の焦点曲線ＦＬを含む鉛直面ＦＳよりも約０．５ｍｍほど投影レンズ４の側に配置されている更に他の効果を説明するための図である。
【図１８】シェード３のエッジ部分３ａの厚さＷ１が厚くされている効果を説明するための図である。
【図１９】シェード３のエッジ部分３ａの厚さＷ１が厚くされている効果を説明するための図である。
【符号の説明】
【００７１】
１              光源
２              リフレクタ
３              シェード
３ａ，３ｂ      エッジ部分
３ａ１，３ｂ１  天面
４              投影レンズ
１００          ヘッドランプ
１０１          ハウジング
１０２          カバーレンズ
１０３          ロービーム用プロジェクタ型車両用灯具
１０４          支点
１０５，１０６  エイミングスクリュー
Ｆ              焦点
ＦＬ            焦点曲線
ＦＳ            鉛直面
Ｚ              主光軸線
【図１】
2008311129.tif 000003
【図２】
2008311129.tif 000004
【図３】
2008311129.tif 000005
【図４】
2008311129.tif 000006
【図５】
2008311129.tif 000007
【図６】
2008311129.tif 000008
【図７】
2008311129.tif 000009
【図８】
2008311129.tif 000010
【図９】
2008311129.tif 000011
【図１０】
2008311129.tif 000012
【図１１】
2008311129.tif 000013
【図１２】
2008311129.tif 000014
【図１３】
2008311129.tif 000015
【図１４】
2008311129.tif 000016
【図１５】
2008311129.tif 000017
【図１６】
2008311129.tif 000018
【図１７】
2008311129.tif 000019
【図１８】
2008311129.tif 000020
【図１９】
2008311129.tif 000021